(57)【特許請求の範囲】
【請求項１】
記録媒体に記録された画像情報を再生するときの表示画面上での再生速度を任意に選択、変更可能な選択変更手段と、
再生速度を現す＜形状の１つの記号を１単位としてこの１種類のみの速度記号情報を記憶する記憶手段と、
前記記録媒体に記録された画像情報の再生時、前記選択変更手段によって選択又は変更された再生速度を、前記記憶手段から読み出した＜形状の速度記号情報の個数に対応させて画面上に表示する再生速度表示処理手段とを備え、
前記再生速度表示処理手段は、再生時と逆再生時とで前記速度記号情報を反転表示するようにしたことを特徴とする画像再生装置。
【請求項２】
記録媒体に記録された画像情報を再生するときの表示画面上での再生モードと再生速度とを任意に選択、変更可能な選択変更手段と、
複数の再生モードを現すモード記号情報、及び再生速度を現す＜形状の１つの記号を１単位としてこの１種類のみの速度記号情報を記憶する記憶手段と、
前記記録媒体に記録された画像情報の再生時、前記選択変更手段によって選択された再生モードに従い、前記記憶手段から該当するモード記号情報を読み出すとともに、前記選択変更手段によって選択又は変更された再生速度を、前記記憶手段から読み出した＜形状の速度記号情報の個数に対応させて前記モード記号情報と合成し画面上に表示する再生速度表示処理手段とを備え、
前記再生速度表示処理手段は、再生時と逆再生時とで前記速度記号情報を反転表示するようにしたことを特徴とする画像再生装置。
【請求項３】
１つの再生モードにおける再生速度変更時の再生速度の表示段数を任意に設定、変更可能な表示段数設定変更手段を備え、
前記再生速度表示処理手段は、前記記録媒体に記録された画像情報の再生時、前記選択変更手段によって選択された再生モードに従い、前記記憶手段から該当するモード記号情報を読み出すとともに、前記表示段数設定変更手段によって設定又は変更された再生速度の表示段数を前記記憶手段に記憶されている速度記号情報の表示個数の上限として、前記選択変更手段によって選択又は変更された再生速度を、前記記憶手段から読み出した＜形状の速度記号情報の個数に対応させて前記モード記号情報と合成し、画面上に表示することを特徴とする請求項２に記載の画像再生装置。
【請求項４】
前記選択変更手段によって変更可能な再生速度の変更数が多段階に設定されており、前記再生速度表示処理手段は、前記選択変更手段によって再生速度が複数段階変更されるたびに、画面上に表示する＜形状の速度記号情報を１個増減するように表示制御を行うことを特徴とする請求項１、２又は３に記載の画像再生装置。
【発明の詳細な説明】
【０００１】
【発明の属する技術分野】
本発明は、現在再生されている画像情報の表示画面上での再生速度を視覚的に見やすいように表示する画像再生装置に関し、例えば、従来のＶＣＲ（ｖｉｄｅｏ  ｃａｓｓｅｔｔｅ  ｒｅｃｏｒｄｅｒ）をはじめ、最近のＤＶＤ（ｄｉｇｉｔａｌ  ｖｉｄｅｏ  ｄｉｓｃ）やＶＣＤ（ｖｉｄｅｏ  ｃｏｍｐａｃｔ  ｄｉｓｃ）、ＤＶ（ｄｉｇｉｔａｌ  ｖｉｓｉｏｎ）などに代表されるデジタル映像再生機器に利用される。
【０００２】
【従来の技術】
従来より、現在再生されている画像情報の表示画面上での再生速度を、視覚的に見やすいように表示する画像再生装置が種々提案されている。
例えば、実公昭６３−３６５０８号公報に記載の磁気録画再生装置は、ＶＣＲの表示パネルに、再生速度を表示するための多数個の発光ダイオードを横一列に配置し、再生速度に応じた位置にある発光ダイオードを点灯又は点滅させることによって、その時点での磁気テープの再生速度を表示するようになっている（これを従来技術１という）。
【０００３】
また、特開昭５８−１０１３４４号公報や特開昭５８−１０１３４５号公報に記載のテープレコーダの表示装置は、発光ダイオード等の表示素子を、テープ走行速度に応じた速さで点滅駆動するようになっている（これを従来技術２という）。
【０００４】
【発明が解決しようとする課題】
しかしながら、上記した従来技術１のものでは、再生速度を表示するための多数の発光ダイオードを用いる必要があるため、部品点数が多く、コスト高になるといった問題があった。また、ＶＣＲの表示パネルに十分なスペースが必要であるため、他の機能の表示スペースが制限されてしまうといった問題もあった。
【０００５】
また、上記した従来技術１のものでは、テープの走行速度を表示素子の点滅速度で表示しているため、例えば点滅間隔が短くなっていくことによって、テープ速度が次第に速くなっていることは感覚的に分かるものの、テープが実際にどの速度で再生されているのかといったことまでは全く分からないといった問題があった。
本発明はこのような問題点を解決すべく創案されたものであって、その目的は、現在再生されている画像情報の表示画面上での再生速度を視覚的に見やすいように表示する画像再生装置を提供することにある。
【０００６】
【課題を解決するための手段】
上記課題を解決するため、本発明の画像再生装置は、記録媒体に記録された画像情報を再生するときの表示画面上での再生速度を任意に選択、変更可能な選択変更手段と、再生速度を現す＜形状の１つの記号を１単位としてこの１種類のみの速度記号情報を記憶する記憶手段と、前記記録媒体に記録された画像情報の再生時、前記選択変更手段によって選択又は変更された再生速度を、前記記憶手段から読み出した＜形状の速度記号情報の個数に対応させて画面上に表示する再生速度表示処理手段とを備え、前記再生速度表示処理手段は、再生時と逆再生時とで前記速度記号情報を反転表示するようにした構成とする。
【０００７】
また、本発明の画像再生装置は、記録媒体に記録された画像情報を再生するときの表示画面上での再生モードと再生速度とを任意に選択、変更可能な選択変更手段と、複数の再生モードを現すモード記号情報、及び再生速度を現す＜形状の１つの記号を１単位としてこの１種類のみの速度記号情報を記憶する記憶手段と、前記記録媒体に記録された画像情報の再生時、前記選択変更手段によって選択された再生モードに従い、前記記憶手段から該当するモード記号情報を読み出すとともに、前記選択変更手段によって選択又は変更された再生速度を、前記記憶手段から読み出した＜形状の速度記号情報の個数に対応させて前記モード記号情報と合成し画面上に表示する再生速度表示処理手段とを備え、前記再生速度表示処理手段は、再生時と逆再生時とで前記速度記号情報を反転表示するようにした構成とする。
【０００８】
また、本発明の画像再生装置は、上記構成において、１つの再生モードにおける再生速度変更時の再生速度の表示段数を任意に設定、変更可能な表示段数設定変更手段を備え、前記再生速度表示処理手段は、前記記録媒体に記録された画像情報の再生時、前記選択変更手段によって選択された再生モードに従い、前記記憶手段から該当するモード記号情報を読み出すとともに、前記表示段数設定変更手段によって設定又は変更された再生速度の表示段数を前記記憶手段に記憶されている速度記号情報の表示個数の上限として、前記選択変更手段によって選択又は変更された再生速度を、前記記憶手段から読み出した＜形状の速度記号情報の個数に対応させて前記モード記号情報と合成し、画面上に表示するものである。
【０００９】
また、本発明の画像再生装置は、上記各構成において、前記選択変更手段によって変更可能な再生速度の変更数が多段階に設定されており、前記再生速度表示処理手段は、前記選択変更手段によって再生速度が複数段階変更されるたびに、画面上に表示する＜形状の速度記号情報を１個増減するように表示制御を行うものである。
【００１０】
【発明の実施の形態】
以下、本発明の実施の形態について、図面を参照して説明する。
図１は、本発明の画像再生装置をＤＶＤのデジタル映像再生装置に適用した例を示す回路ブロック図である。
【００１１】
ディスクモータ２によって回転駆動されるディスク１から情報を検出するピックアップ３の出力は、ＲＦアンプ４を介して信号処理回路５とサーボ処理回路６とに導かれており、サーボ処理回路６の出力は信号処理回路５に導かれている。また、信号処理回路５には、ＲＦアンプ４によって増幅され、ＤＶＤ規格に従ってデコードされたデータ（ただし、ここではＭＰＥＧ（Ｍｏｔｉｏｎ  Ｐｉｃｔｕｒｅ  Ｅｘｐｅｎｔ  Ｇｒｏｕｐ  ）により圧縮されている）を一旦格納するトラックバッファＲＡＭ７が接続されている。これらＲＦアンプ４、信号処理回路５及びサーボ処理回路６は、フロントエンドＣＰＵ８によって制御される。
【００１２】
サーボ処理回路６は、フロントエンドＣＰＵ８から信号処理回路５を経由して送受信されるコマンドや制御データに従って、ピックアップ３に対するフォーカシングサーボやトラッキングサーボのサーボ制御を行うとともに、ピックアップ３全体をディスク１の半径方向に移動させるためのスレッドモータ９の制御や、ディスク１を装填する図示しないトレイを駆動するトレイモータ１０の制御を行う。なお、トレイに装填されたディスク１がＤＶＤである場合の再生信号は、ＲＦアンプ４を経由して信号処理回路５に入力され、トレイに装填されたディスク１がＣＤ−ＲＯＭである場合の再生信号は、ＲＦアンプ４からサーボ処理回路６を経由して信号処理回路５に入力される。信号処理回路５は、これらＤＶＤデータのデコード処理やＣＤ−ＲＯＭデータのデコード処理を行う。
【００１３】
また、信号処理回路５は、Ａ／Ｖ（Ａｕｄｉｏ／Ｖｉｄｅｏ  ）デコーダ１１に接続されており、Ａ／Ｖデコーダ１１の出力は、ビデオ出力端子１３ａ，１３ｂを有するビデオエンコーダ１３と、オーディオ出力端子１４ａを有するＤ／Ａコンバータ１４とに接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ１５が接続されている。
【００１４】
また、Ａ／Ｖデコーダ１１は、バックエンドＣＰＵ１６に接続されており、バックエンドＣＰＵ１６には、ワークＲＡＭ１７とフラッシュＲＯＭ１８とが接続されている。
また、バックエンドＣＰＵ１６には、ＬＣＤ等からなるフロントパネル２０の表示制御を行うフロントパネルコントローラ１９が接続されており、フロントパネルコントローラ１９には、キー入力部２１の出力が導かれている。また、フロントパネルコントローラ１９には、リモコン２２からの送信信号を受信する受信部（図示省略）が設けられている。
【００１５】
ここで、上記構成のデジタル映像再生装置における再生時の動作について簡単に説明する。
ディスク１に記録されたデータはピックアップ３で検出され、ＲＦアンプ４で波形整形と増幅とが行われた後、信号処理回路５においてＤＶＤ規格に従いデコードされる。デコードされたデータは、ＭＰＥＧにより圧縮されている状態でトラックバッファＲＡＭ７に順次蓄えられ、バックエンドＣＰＵ１６からの読み出し要求を待つ。
【００１６】
そして、トラックバッファＲＡＭ７に蓄えられたデータは、バックエンドＣＰＵ１６からの読み出し要求に従って順次読み出され、Ａ／Ｖデコーダ１１に転送されて、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログのビデオ信号に変換されてビデオ出力端子１３ａ，１３ｂから出力される。
【００１７】
一方、ＭＰＥＧにより圧縮されているオーディオデータについては、ビデオデータと同様にトラックバッファＲＡＭ７に順次蓄えられ、バックエンドＣＰＵ１６からの読み出し要求に従って順次読み出され、Ｄ／Ａコンバータ１４に転送されてて、ここでＭＰＥＧによる圧縮データの伸長が行われてオーディオデータにデコードされる。デコートされたオーディオデータは、Ａ／ＶデコードＲＡＭ１５に一旦蓄えられた後、再び読み出されてＤ／Ａコンバータ１４に順次転送され、ここでアナログのオーディオ信号に変換されてオーディオ出力端子１４ａから出力される。
【００１８】
上記のような記録データの再生処理動作中において、ビデオ出力端子１３ａ，１３ｂから出力されたビデオ信号の再生画像を表示する表示画面上での再生モードや再生速度は、キー入力部２１又はリモコン２２に設けられた各種モードキーや速度変更キーによって任意に選択又は変更できるようになっている。
【００１９】
すなわち、キー入力部２１又はリモコン２２から任意の再生モードや再生速度を指示するデータが入力されると、これらのデータはフロントパネルコントローラ１９、バックエンドＣＰＵ１６、Ａ／Ｖデコーダ１１、信号処理回路５を経由してフロントエンドＣＰＵ８に入力される。フロントエンドＣＰＵ８は、この入力されたデータ（再生モードや再生速度のデータ）に基づき、信号処理回路５を介してサーボ処理回路６に制御データを出力し、ディスクモータ２やスレッドモータ９の回転制御を、その指示された再生モードや再生速度に従って制御する。
【００２０】
図２は、このような各種モードキーや速度変更キーが設けられたリモコン２２の一例を示している。ただし、図２には本発明に係わる主要なキーのみを示している。
すなわち、リモコン２２には、装置本体の電源をオン、オフする電源キー２２ａ、ディスク１の再生を指示するＰＬＡＹキー２２ｂ、再生動作を停止するＳＴＯＰキー２２ｃ、再生動作を一時停止するＰＡＵＳＥキー２２ｄの他、本発明に係わるＦＦ（ＦＡＳＴ  Ｆｏｒｗａｒｄ）  キー２２ｅ、ＦＢ（ＦＡＳＴ  Ｂａｃｋｗａｒｄ）キー２２ｆ、ＳＦ（Ｓｌｏｗ  Ｆｏｒｗａｒｄ）  キー２２ｇ、ＳＢ（Ｓｌｏｗ  Ｂａｃｋｗａｒｄ）キー２２ｈなどの各モードキーと、再生速度を加速させる加速キー２２ｍ及び減速させる減速キー２２ｎとが設けられている。
【００２１】
また、本発明では、このような各種モードキーや加速及び減速キーによって指示された再生モードや再生速度を、表示画面上に表示するための各種記号情報（アイコン）がフラッシュＲＯＭ１８に予め記憶されている。
【００２２】
バックエンドＣＰＵ１６は、キー入力部２１又はリモコン２２から入力された再生モードや再生速度の指示情報に基づき、フラッシュＲＯＭ１８に記憶されているこれら記号情報（これについては、後述する）を読み出し、記号情報の合成処理を行ってＡ／Ｖデコーダ１１からビデオエンコーダ１３に出力し、ここでＡ／ＶデコードＲＡＭ１５から読み出されアナログ信号に変換されたビデオ信号に重畳させて、ビデオ出力端子１３ａ，１３ｂから出力するようになっている。ただし、バックエンドＣＰＵ１６では、合成処理を行った記号情報をフロントパネルコントローラ１９からフロントパネル２０に出力して、フロントパネル２０上に再生速度情報をアイコンで表示するようにしてもよい。すなわち、本発明の請求項に記載の再生速度表示処理手段は、本実施の形態ではバックエンドＣＰＵ１６によって実現されている。
【００２３】
次に、上記したフラッシュＲＯＭ１８に記憶されている記号情報（アイコン）について、図３を参照して説明する。図３は、各モードキー２２ｅ〜２２ｈ、加速キー２２ｍ及び減速キー２２ｎの操作状況（動作状態）と、そのときの画面上に表示される再生速度情報（再生速度アイコン）との関係を示している。
【００２４】
フラッシュＲＯＭ１８に記憶されている記号情報としては、再生モードを表す（ＦＦ）、（ＦＢ）、（ＳＦ）、（ＳＢ）と、再生速度の速さを現す（＜）の計５個の記号情報が記憶されている。すなわち、本発明の特徴的なところは、再生速度の速さを表す速度記号情報として、再生速度を現す１つの記号（＜）を、１つの単位（１つのアイコン）として記憶している点である。つまり、速度記号情報（＜）を順次つなぎ合わせるといった簡単な合成処理を行うだけで、再生速度をいくらでも細かく分割して表示することができる点に特徴を有している。なお、本実施の形態では、速度記号情報として（＜）のみの記号をフラッシュＲＯＭ１８に記憶しているが、逆方向の表示を考慮して（＞）の記号も記憶するようにしてもよい。ただし、（＞）の記号は、（＜）の記号を反転表示すればよいので、本実施の形態では、速度記号情報として（＜）のみの記号を記憶し、逆方向の表示を行うときには（＜）の記号を反転表示させるものとする。
【００２５】
図３に示す例では、ＦＦキー２２ｅ、ＦＢキー２２ｆ、ＳＦキー２２ｇ、ＳＢキー２２ｈの各モードキーのそれぞれについて、再生速度の変更は３段階（低速、中速、高速）となっている。例えば、ＦＦキー２２ｅを押してＦＦモードに設定後、加速キー２２ｍを１回押すと画面上にはＦＦ低速を示す〔ＦＦ＞〕の文字と記号とが表示され、加速キー２２ｍを２回押すとＦＦ中速を示す〔ＦＦ＞＞〕の文字と記号とが表示され、加速キー２２ｍを３回押すとＦＦ高速を示す〔ＦＦ＞＞＞〕の文字と記号とが表示される。また、ＦＢキー２２ｆを押してＦＢモードに設定後、加速キー２２ｍを１回押すとＦＢ低速を示す〔＜ＦＢ〕の文字と記号とが表示され、加速キー２２ｍを２回押すとＦＢ中速を示す〔＜＜ＦＢ〕の文字と記号とが表示され、加速キー２２ｍを３回押すとＦＢ高速を示す〔＜＜＜ＦＢ〕の文字と記号とが表示される。また、ＳＦキー２２ｇを押してＳＦモードに設定後、加速キー２２ｍを１回押すとＳＦ低速を示す〔ＳＦ＞〕の文字と記号とが表示され、加速キー２２ｍを２回押すとＳＦ中速を示す〔ＳＦ＞＞〕の文字と記号とが表示され、加速キー２２ｍを３回押すとＳＦ高速を示す〔ＳＦ＞＞＞〕の文字と記号とが表示される。また、ＳＢキー２２ｈを押してＳＢモードに設定後、加速キー２２ｍを１回押すとＳＢ低速を示す〔＜ＳＢ〕の文字と記号とが表示され、加速キー２２ｍを２回押すとＳＢ中速を示す〔＜＜ＳＢ〕の文字と記号とが表示され、加速キー２２ｍを３回押すとＳＢ高速を示す〔＜＜＜ＳＢ〕の文字と記号とが表示される。
【００２６】
なお、上記の説明では、加速キー２２ｍの操作しか説明していないが、減速キー２２ｎの操作も同様に行うことができる。例えば、画面上にＦＦ高速を示す〔ＦＦ＞＞＞〕の文字と記号とが表示されているときに、減速キー２２ｎを１回押すと、画面上にはＦＦ中速を示す〔ＦＦ＞＞〕の文字と記号とが表示される。
また、図４は、上記したＦＦキー２２ｅ、ＦＢキー２２ｆ、ＳＦキー２２ｇ、ＳＢキー２２ｈに対応した各再生モードの領域と、その領域における再生速度の一例を示している。
【００２７】
すなわち、再生画像を一時停止するＰＡＵＳＥ位置から画像順再生方向の１倍速（標準再生速度）までの領域がＳＦ（いわゆるスロー再生）領域、標準再生速度を超える再生速度領域がＦＦ（いわゆる高速再生）領域、ＰＡＵＳＥ位置から画像逆再生方向に−１倍速までの領域がＳＢ（いわゆるスロー逆再生）領域、−１倍速を超える逆再生速度領域がＦＢ（いわゆる高速逆再生）領域である。また、各領域での再生速度変化が上記の如く３段階である場合の各再生速度は、標準再生速度（１倍速）を１とすると、ＳＦ低速が１／１６倍、ＳＦ中速が１／８倍、ＳＦ高速が１／２倍、ＦＦ低速が２倍、ＦＦ中速が８倍、ＦＦ高速が１６倍となっている。また、標準逆再生速度を−１とすると、ＳＢ低速が−１／１６倍、ＳＢ中速が−１／８倍、ＳＢ高速が−１／２倍、ＦＢ低速が−２倍、ＦＢ中速が−８倍、ＦＢ高速が−１６倍となっている。ただし、これらの速度比率は一例であり、任意に設定可能である。
【００２８】
このように、本実施の形態では、ディスク１に記録された画像情報の再生時、任意のモードキー２２ｅ〜２２ｈ及び加速キー２２ｍ又は減速キー２２ｎによって選択された再生モードと再生速度とに従い、フラッシュＲＯＭ１８から該当するモード記号情報（（ＦＦ）、（ＦＢ）、（ＳＦ）、（ＳＢ）のいずれか１つ）を読み出すとともに、この読み出したモード記号情報に、フラッシュＲＯＭ１８から読み出した速度記号情報（＞）を、指示された再生速度に従って必要個数だけ合成することにより、図３の右欄に示すアイコン化された再生速度情報を画面上に表示するものである。このようなモード記号情報と速度記号情報とを組み合わせて表示することにより、再生速度が視覚を通じて直観的に分かるので、使用者にとって極めて使い勝手の良いものとなる。
【００２９】
なお、上記実施の形態では、速度記号情報として（＞）を例示しているが、（＞）に限定されるものではなく、従来より使われている（■）若しくは（■）の速度記号情報や、（→）若しくは（←）といった矢印による速度記号情報を用いても構わない。この他にも、星マークやトランプの記号、音楽符号といった各種キャラクタマークを速度記号情報として用いてもよい。また、モード記号情報も、ＦＦ、ＦＢ、ＳＦ、ＳＢといった英文字に限定されるものではない。
【００３０】
また、上記実施の形態では、各再生モードにおける再生速度の表示を３段階表示（すなわち、低速、中速、高速）の固定として説明しているが、この再生速度の表示段数を使用者側で任意に設定できるように構成してもよい。
例えば、図５に示すように、リモコン２２に再生速度の表示段数を設定又は変更するための表示段数設定キー２２ｉを新たに設け、テンキー２２ｊとこの表示段数設定キー２２ｉとを用いて、使用者の好みに応じた表示段数に設定又は変更できるようにすればよい。
【００３１】
設定又は変更の方法としては、例えば表示段数設定キー２２ｉを押して表示段数設定モードとし、この後テンキー２２ｊを押して表示段数を数値で入力し、その後再度表示段数設定キー２２ｉを押すことによって、再生速度の表示段数の設定又は変更を終了する。表示段数設定モード時にテンキー２２ｊから入力された数値データは、フロントパネルコントローラ１９を経由してバックエンドＣＰＵ１６に入力される。バックエンドＣＰＵ１６は、この数値データを各再生モードにおける再生速度の表示段数として、例えばワークＲＡＭ１７の所定の領域に記憶する。
【００３２】
例えば、表示段数設定モード時にテンキー２２ｊから入力された数値データが「５」であったとすると、バックエンドＣＰＵ１６は、この数値データ「５」をワークＲＡＭ１７の所定の領域に記憶し、以後の再生速度の表示を５段階表示とする。
【００３３】
すなわち、図６に表示例を示すように、ＦＦキー２２ｅを押してＦＦモードに設定後、加速キー２２ｍを１回押すと画面上にはＦＦ低速を示す〔ＦＦ＞〕の文字と記号とが表示され、加速キー２２ｍを２回押すとＦＦ低中速を示す〔ＦＦ＞＞〕の文字と記号とが表示され、加速キー２２ｍを３回押すとＦＦ中速を示す〔ＦＦ＞＞＞〕の文字と記号とが表示され、加速キー２２ｍを４回押すとＦＦ中高速を示す〔ＦＦ＞＞＞＞〕の文字と記号とが表示され、加速キー２２ｍを５回押すとＦＦ高速を示す〔ＦＦ＞＞＞＞＞〕の文字と記号とが表示される。また、ＦＢキー２２ｆを押してＦＢモードに設定後、加速キー２２ｍを１回押すとＦＢ低速を示す〔＜ＦＢ〕の文字と記号とが表示され、加速キー２２ｍを２回押すとＦＢ低中速を示す〔＜＜ＦＢ〕の文字と記号とが表示され、加速キー２２ｍを３回押すとＦＢ中速を示す〔＜＜＜ＦＢ〕の文字と記号とが表示され、加速キー２２ｍを４回押すとＦＢ中高速を示す〔＜＜＜＜ＦＢ〕の文字と記号とが表示され、加速キー２２ｍを５回押すとＦＢ高速を示す〔＜＜＜＜＜ＦＢ〕の文字と記号とが表示される。また、ＳＦキー２２ｇを押してＳＦモードに設定後、加速キー２２ｍを１回押すとＳＦ低速を示す〔ＳＦ＞〕の文字と記号とが表示され、加速キー２２ｍを２回押すとＳＦ低中速を示す〔ＳＦ＞＞〕の文字と記号とが表示され、加速キー２２ｍを３回押すとＳＦ中速を示す〔ＳＦ＞＞＞〕の文字と記号とが表示され、加速キー２２ｍを４回押すとＳＦ中高速を示す〔ＳＦ＞＞＞＞〕の文字と記号とが表示され、加速キー２２ｍを５回押すとＳＦ高速を示す〔ＳＦ＞＞＞＞＞〕の文字と記号とが表示される。また、ＳＢキー２２ｈを押してＳＢモードに設定後、加速キー２２ｍを１回押すとＳＢ低速を示す〔＜ＳＢ〕の文字と記号とが表示され、加速キー２２ｍを２回押すとＳＢ低中速を示す〔＜＜ＳＢ〕の文字と記号とが表示され、加速キー２２ｍを３回押すとＳＢ中速を示す〔＜＜＜ＳＢ〕の文字と記号とが表示され、加速キー２２ｍを４回押すとＳＢ中高速を示す〔＜＜＜＜ＳＢ〕の文字と記号とが表示され、加速キー２２ｍを５回押すとＳＢ高速を示す〔＜＜＜＜＜ＳＢ〕の文字と記号とが表示される。
【００３４】
また、図７は、上記したＦＦキー２２ｅ、ＦＢキー２２ｆ、ＳＦキー２２ｇ、ＳＢキー２２ｈに対応した各再生モードの領域と、その領域における再生速度の一例を示している。
【００３５】
すなわち、再生画像を一時停止するＰＡＵＳＥ位置から画像順再生方向の１倍速（標準再生速度）までの領域がＳＦ（いわゆるスロー再生）領域、標準再生速度を超える再生速度領域がＦＦ（いわゆる高速再生）領域、ＰＡＵＳＥ位置から画像逆再生方向に−１倍速までの領域がＳＢ（いわゆるスロー逆再生）領域、−１倍速を超える逆再生速度領域がＦＢ（いわゆる高速逆再生）領域である。また、各領域の速度変化が上記の如く５段階である場合の各速度は、標準再生速度（１倍速）を１とすると、ＳＦ低速が１／１６倍、ＳＦ低中速が１／１２倍、ＳＦ中速が１／８倍、ＳＦ中高速が１／４倍、ＳＦ高速が１／２倍、ＦＦ低速が２倍、ＦＦ低中速が４倍、ＦＦ中速が８倍、ＦＦ中高速が１２倍、ＦＦ高速が１６倍となっている。また、標準逆再生速度を−１とすると、ＳＢ低速が−１／１６倍、ＳＢ低中速が−１／１２倍、ＳＢ中速が−１／８倍、ＳＢ中高速が−１／４倍、ＳＢ高速が−１／２倍、ＦＢ低速が−２倍、ＦＢ低中速が−４倍、ＦＢ中速が−８倍、ＦＢ中高速が−１２倍、ＦＢ高速が−１６倍となっている。
【００３６】
表示段数に対応したこれらの速度比率はバックエンドＣＰＵ１６によって演算処理される。すなわち、バックエンドＣＰＵ１６は、予め設定された各再生モードにおける速度倍率（本実施の形態では１６倍となっている）を、表示段数設定モード時にテンキー２２ｊから入力された数値データ（本実施の形態では５）に基づいて適宜分割処理すればよい。ただし、どのように分割していくかといったルールは予め設定しておくものとする。ただし、表示段数に対応したこれらの速度比率をバックエンドＣＰＵ１６によってその都度演算していたのでは、バックエンドＣＰＵ１６にその分の負担がかかるので、例えば使用者によって設定される表示段数に対応した速度比率のデータを予めデータベースとして格納しておき、使用者が設定した表示段数に応じた速度比率をデータベースから読み出して使用するように構成してもよい。
【００３７】
なお、使用者が設定可能な表示段数は、装置自体の有する性能によって制限されることは当然である。つまり、装置自体の性能が、各再生モードにおいて１０段階までしか速度変更できないものである場合には、設定可能な分割数も、その装置の最大限の性能である１０段階に制限されることになる。
【００３８】
また、このように各再生モードでの再生速度の変更が１０段階可能である場合に、再生速度表示を上記のように５段階に設定した場合には、各再生モードにおいて加速キー２２ｍ又は減速キー２２ｎを２回押すたびに（すなわち、再生速度を２段階変更するたびに）、画面上の再生速度情報の表示が変更され、速度記号（＜）のアイコンが１個増減されることになる。
【００３９】
例えば、ＦＦキー２２ｅについて見ると、ＦＦキー２２ｅを押してＦＦモードに設定後、加速キー２２ｍを１回押すと画面上にはＦＦ低速を示す〔ＦＦ＞〕の文字と記号とが表示され、加速キー２２ｍをもう１回押しても画面上の表示はそのまま変わらず、加速キー２２ｍをさらにもう１回押すと（すなわち３回目に）ＦＦ低中速を示す〔ＦＦ＞＞〕の文字と記号との表示に切り換わる。さらに、この状態から加速キー２２ｍをもう１回押しても画面上の表示はそのまま変わらず、さらにもう１回押すと（すなわち５回目に）ＦＦ中速を示す〔ＦＦ＞＞＞〕の文字と記号とに切り換わる。さらに、この状態から加速キー２２ｍをもう１回押しても画面上の表示はそのまま変わらず、さらにもう１回押すと（すなわち７回目に）ＦＦ中高速を示す〔ＦＦ＞＞＞＞〕の文字と記号とに切り換わる。さらに、この状態から加速キー２２ｍをもう１回押しても画面上の表示はそのまま変わらず、さらにもう１回押すと（すなわち９回目に）ＦＦ高速を示す〔ＦＦ＞＞＞＞＞〕の文字と記号とに切り換わる。さらに、この状態から加速キー２２ｍをもう１回押しても画面上の表示はそのまま変わらない、といった表示形態となる。
【００４０】
なお、上記の説明では、各再生モードでの再生速度の変更が１０段階で、再生速度表示が５段階の場合について説明している。すなわち、再生速度の変更段数が再生速度の表示段数で割り切れる場合について説明しているが、割り切れない場合（例えば、再生速度の変更段数１０、表示段数４）には、いずれかの再生速度表示の範囲を広くするように適宜設定すればよい。設定の方法としては、例えば再生速度の変更段数と表示段数との全ての組み合わせを予めデータベース化しておいて、ワークＲＡＭ１７やフラッシュＲＯＭ１８等に格納しておけばよい。
【００４１】
【発明の効果】
本発明の画像再生装置は、記録媒体に記録された画像情報の再生時、選択変更手段によって選択又は変更された再生速度を、記憶手段から読み出した＜形状の１つの速度記号情報の個数に対応させて画面上に表示するように構成している。また、本発明の画像再生装置は、記録媒体に記録された画像情報の再生時、選択変更手段によって選択された再生モードに従い、記憶手段から該当するモード記号情報を読み出すとともに、選択変更手段によって選択又は変更された再生速度を、記憶手段から読み出した＜形状の１つの速度記号情報の個数に対応させてモード記号情報と合成し、画面上に表示するように構成している。すなわち、再生速度の速さを表す＜の速度記号情報を順次つなぎ合わせるといった簡単な合成処理を行うだけで、再生速度をいくらでも細かく分割して表示することができる。また、再生速度を速度記号情報の個数で示すので、現在再生されている画像情報の表示画面上での再生速度が視覚を通じて直観的に認識できるといった利点もある。
【００４２】
また、本発明の画像再生装置は、１つの再生モードにおける再生速度変更時の再生速度の表示段数を任意に設定、変更可能な表示段数設定変更手段を備えており、記録媒体に記録された画像情報の再生時、選択変更手段によって選択された再生モードに従い、記憶手段から該当するモード記号情報を読み出すとともに、表示段数設定変更手段によって設定又は変更された再生速度の表示段数を記憶手段に記憶されている＜形状の１つの速度記号情報の表示個数の上限として、選択変更手段によって選択又は変更された再生速度を、記憶手段から読み出した＜形状の１つの速度記号情報の個数に対応させてモード記号情報と合成し、画面上に表示するように構成している。また、本発明の画像再生装置は、選択変更手段によって再生速度が複数段階変更されるたびに、画面上に表示する＜形状の１つの速度記号情報を１個増減するように構成している。これにより、再生速度の表示段数を使用者が任意に設定又は変更できるので、表示段数を通常より細かくしたいといった使用者のニーズに臨機応変に対応することができる。
【図面の簡単な説明】
【図１】本発明の画像再生装置をＤＶＤのデジタル映像再生装置に適用した例を示す回路ブロック図である。
【図２】各種モードキーや速度変更キーが設けられたリモコンの構成例を示す説明図である。
【図３】各モードキー、加速キー及び減速キーの操作状況と、そのときの画面上に表示される再生速度情報（再生速度アイコン）との関係を示す説明図である。
【図４】各モードキーに対応した再生モードの領域と、その領域における再生速度の一例を示す説明図である。
【図５】各種モードキーや速度変更キーが設けられたリモコンの他の構成例を示す説明図である。
【図６】各モードキー、加速キー及び減速キーの操作状況と、そのときの画面上に表示される再生速度情報（再生速度アイコン）との関係を示す説明図である。
【図７】各モードキーに対応した再生モードの領域と、その領域における再生速度の一例を示す説明図である。
【符号の説明】
１  ディスク（記録媒体）
１６  バックエンドＣＰＵ
１７  ワークＲＡＭ
１８  フラッシュＲＯＭ
１９  フロントパネルコントローラ
２０  フロントパネル
２１  キー入力部
２２  リモコン
【図１】
0003552155.tif 000002
【図２】
0003552155.tif 000003
【図３】
0003552155.tif 000004
【図４】
0003552155.tif 000005
【図５】
0003552155.tif 000006
【図６】
0003552155.tif 000007
【図７】
0003552155.tif 000008